(57)【特許請求の範囲】
【請求項１】
手袋の小指部分と人差し指部分の掌側の部分とそれらの両側のマチ部分と掌部分とが１体状になった第１のパーツを備え、かかる掌側の小指部分と人差し指部分との間に、該第１のパーツとは別のパーツからなる中指部分と薬指部分の掌側の部分とそれらの両側のマチ部分とが１体状になった第２のパーツとが配置されることによって、手袋の掌側の親指部分を除く人差し指部分から小指部分までの各指部分とそれらのマチ部分と掌部分とが形成される、ガンカット型の手袋であって、
前記第２のパーツが、中指部分の指先が一端に位置し薬指部分の指先が他端に位置し、前記中指部分の付け根と薬指部分の付け根の指の股部分がこの第２のパーツの長手方向中央に位置して連接して形成されるとともに、該中指部分と薬指部分の掌側の各付け根となる端と中指部分の人差し指部分側のマチ部分の手首側の端及び薬指部分の小指部分側のマチ部分の手首側の端とが、該第２のパーツの長手方向中央に位置する前記連接している部位へ向けて反連接側の端から切り込まれた第２の切込み線によって形成された、ガンカット型の手袋において、
前記第２のパーツの中指部分の先端から薬指部分の先端までの長手方向の寸法を、
前記中指部分の先端から当該中指部分と人差し指部分の間の掌側の股部分の端までの長さに、前記薬指部分の先端から当該薬指部分と小指部分の間の股部分の掌側の端までの長さを加えた寸法より、
平面視における人差し指と中指の間の股部分の掌側の端から同股部分の手の甲側の端までの長さ分と、平面視における小指と薬指の間の股部分の掌側の端から同股部分の手の甲側の端までの長さ分だけ長くした寸法で構成し、
前記中指部分の薬指側のマチ部分と薬指部分の中指側のマチ部分の側縁となる、この第２のパーツを展開した状態での中指部分と薬指部分のマチ部分となる各側端の線が、展開した状態での、長手方向両端の指先部分から中央の指の付け根側にゆくに従って当該第２のパーツの幅方向の寸法が大きくなるような両傾斜のテーパ状の線で構成されるとともに、
前記第１のパーツの小指部分と人差し指部分の互いに隣接する各側端の下端をとおり当該小指部分と人差し指部分の各一部を横切る方向に形成された第１の切込み線の、
前記小指部分の前記側端の下端位置を、平面視における前記小指と薬指の間の股部分の掌側の端から同股部分の手の甲側の端までの長さ分だけ手首側に下げ、つまり、前記小指部分の上端（先端）位置を基準にして、そこから手の甲側の股の付け根までの前記指表面に沿った長さに相当する位置まで下げ、
前記人差し指部分の前記側端の下端位置を、平面視における前記人差し指と中指の間の股部分の掌側の端から同股部分の手の甲側の端までの長さ分だけ手首側に下げ、つまり、前記人差し指部分の上端（先端）位置を基準にして、そこから手の甲側の股の付け根までの指表面に沿った長さに相当する位置まで下げることによって、
当該第１の切り込み線を、ライン中央部が手首側に偏位した逆への字状の形態の線で構成したことを特徴とする手袋。
【請求項２】
前記第１のパーツの第１の切込み線部分に、前記第２のパーツの中指部分と薬指部分の付け根となる端部を、重ね合わせによる縫着で、当該第１のパーツと第２のパーツとが一体的に接合された構成を備え、
前記接合において前記第２のパーツに引っ張り力を内在させて、前記中指部分と前記薬指部分とが掌側に湾曲した形態を有するように構成したことを特徴とする請求項１記載の手袋。
【請求項３】
前記第２のパーツの、前記第２の切込み線の始端部の中指側部分のマチ部分に中指部分と人差し指部分の股部分が形成され、前記始端部の薬指部分のマチ部分に当該薬指部分と小指部分との股部分が一体に形成されていることを特徴とする請求項１又は２記載の手袋。
【請求項４】
前記第１のパーツにおいて、前記人差し指部分の小指側の側端の長さが当該人差し指部分の掌側の部分の側端の長さに比べて長くなっており、且つ、前記小指部分の人差し指側の側端の長さが当該小指部分の掌側の部分の側端の長さに比べて長くなっていることを特徴とする請求項１〜３のいずれか１の項に記載の手袋。
【請求項５】
前記第１のパーツの前記第１の切込み線を形成した部位に、当該第１の切込み線の中央部位で指先側に突出する山形状になるように当該山形状の形態を一部に有する補強用のパーツを配置したことを特徴とする請求項１〜４のいずれか１の項に記載の手袋。
【発明の詳細な説明】
【技術分野】
【０００１】
本発明は、手袋、特に、作業用や二輪車の運転用として好適な手袋に関する。
【背景技術】
【０００２】
近年、手袋も目的に合わせて、又、よりはき心地を良くした、種々の構成の手袋が提供されている。
例えば、手袋の指と指の間の股部分にぴったりフィットしてはき心地の良いた手袋が、本出願人により提供されている（特許文献１）。かかる手袋は、特許文献１に記載されるとおり、指と指の間の股部分に当接する部位に該部位の三次元的形態に合致した略Ｖの字状の形状をした別パーツを配置することによって、手袋の指と指の間の股部分にぴったりフィットしたはき心地の良い手袋が実現されている。
【先行技術文献】
【特許文献】
【０００３】
【特許文献１】特開平２００１−４９５１０号公報。
【発明の概要】
【発明が解決しようとする課題】
【０００４】
しかしながら、前記構成の手袋の場合には、パーツの数が多くなりしかも細かい縫製を伴う複雑な縫製が必要となり手間のかかるものとなっていた。このため、手袋の製造原価を高くするものであった。また、前記「別のパーツ」のように小さいパーツは、手で直に把持して縫合することができず、ピンセットのような道具を使用して把持して他のパーツと縫合をしなければならず、この点でも手間のかかる厄介な作業であった。
【０００５】
このため、従来の作業用や運転用の「ガンカット型」の手袋では、各指部分の長さは、手袋をはめる人の掌側の指の長さに合わせて構成していた。この結果、各指と指の間の股部分では、手の甲側ではフィットしない「はき心地」の悪い手袋となっていたが、主に作業用の手袋であったことから、「はき心地」の悪さについては犠牲にされていた。
【０００６】
本発明は、このような状況に鑑みておこなわれたもので、指と指の間の股部分に手袋の対応する部位がぴったりとフィットして「はき心地」の良い、且つパーツの数が少なく縫製が単純で製造原価を低くすることが可能な、作業用や自動二輪車の運転用等に好適な手袋を提供することを目的とする。
【課題を解決するための手段】
【０００７】
本第１の発明にかかる手袋は、手袋の小指部分と人差し指部分の掌側の部分とそれらの両側のマチ部分と掌部分とが１体状になった第１のパーツを備え、かかる掌側の小指部分と人差し指部分との間に、該第１のパーツとは別のパーツからなる中指部分と薬指部分の掌側の部分とそれらの両側のマチ部分とが１体状になった第２のパーツを縫合することによって、手袋の掌側の親指部分を除く人差し指部分から小指部分までの各指部分とそれらのマチ部分と掌部分とが形成される、ガンカット型の手袋であり、
前記第２のパーツが、中指部分の指先が一端に位置し薬指部分の指先が他端に位置し、前記中指部分の付け根と薬指部分の付け根の指の股部分がこの第２のパーツの長手方向中央に位置して連接するとともに、該中指部分と薬指部分の掌側の各付け根となる端と中指部分の人差し指部分側のマチ部分の手首側の端及び薬指部分の小指部分側のマチ部分の手首側の端とが、該第２のパーツの長手方向略中央に位置する前記連接している部位へ向けて反連接側の端から切り込まれた第２の切込み線によって形成された、ガンカット型の手袋において、
前記第２のパーツの中指部分の先端から薬指部分の先端までの長手方向の寸法を、平面視における人差し指と中指の間の股部分の掌側の端から同股部分の手の甲側の端までの長さ分と、平面視における小指と薬指の間の股部分の掌側の端から同股部分の手の甲側の端までの長さ分を加えた長さ分だけ、長く構成し、
中指部分の薬指側のマチ部分と薬指部分の中指側のマチ部分の側縁となる、この第２のパーツを展開した状態での中指部分と薬指部分のマチ部分となる各側端の線（ライン）が、展開した状態での、長手方向両端の指先部分から中央の指の付け根側にゆくに従って該第２のパーツの幅方向の寸法（長手方向に直交する方向の寸法）が大きくなるような両傾斜のテーパ状の線で構成されるとともに、
前記第１のパーツの小指部分と人差し指部分の互いに隣接する各側端の下端（手首側の端）をとおり該小指部分と人差し指部分の各一部を略横切る方向に形成された第１の切込み線の、
前記小指部分の下端位置（手首側の端の位置）を、平面視における前記小指と薬指の間の股部分の掌側の端から同股部分の手の甲側の端までの長さ分だけ手首側に下げ（偏位させ）、
前記人差し指部分の下端位置（手首側の端の位置）を、平面視における前記人差し指と中指の間の股部分の掌側の端から同股部分の手の甲側の端までの長さ分だけ手首側に下げた（偏位させた）ことを特徴とする。
【０００８】
しかして、このように構成された手袋によると、縫製された後の手袋において、前記人差し指部分とそれに隣接する中指部分との間、前記中指部分とそれに隣接する薬指部分との間、前記薬指部分とそれに隣接する小指部分との間の各股部分において、これらの股部分の掌側の付け根に比べて手の甲側の付け根がより手首側に偏位した形態の手袋を実現できる。この結果、人差し指から小指にかけての各指と指の間の股部分に、手袋の対応する股部分がぴったりとフィットして、「はき心地」の良い、しかもパーツの数が少なく縫製が簡単な手袋を実現できる。
【０００９】
前記手袋において、前記第１のパーツの第１の切込み線部分に、前記第２のパーツの中指部分と薬指部分の付け根となる端部を重ね合わせによる縫合をおこない、かかる縫合に際し、これら第１のパーツと第２のパーツに手袋の手の甲側のパーツを先に縫合した状態において、第２のパーツを第１のパーツに対して引張り勝っ手で該第２のパーツの中指部分と薬指部分の付け根部分を第１のパーツに縫合することにより、指の部分が掌側に湾曲した形態になっていると、中指部分と薬指部分の指の付け根部分において手袋の内側に顕著な凸状の部分ができず、「はき心地」の良い手袋を実現できる。しかも、かかる構成の手袋は、図６に図示する如く、手袋の指部分が掌側に湾曲した人間の手の自然な形態と一致するような形態にできることから、この点においても、さらにはき心地の良い疲れ難い手袋となる。
【００１０】
前記手袋において、前記第１のパーツの小指部分と人差し指部分の互いに隣接する各側端の下端をとおり該小指部分と人差し指部分の各一部を略横切る方向に形成された第１の切込み線が、手袋の手首のラインに略平行な方向の線又はライン中央部が手首側に偏位したような逆への字状（「Ｖ」の字）の形態の線で構成されていると、縫製された後の手袋において前記人差し指部分とそれに隣接する中指部分との間の股部分において、且つ、前記小指部分とそれに隣接する薬指部分との間の股部分において、該股部分の掌側の付け根に比べて手の甲側の付け根がより手首側に偏位した形態の手袋を実現できる。この結果、指と指の股の部分に手袋の対応する股部分がぴったりとフィットして、「はき心地」の良い、且つパーツの数が少なく縫製が簡単な手袋を実現できる。
【００１１】
前記手袋において、前記第２のパーツの、前記第２の切込み線の始端部の中指側部分のマチ部分に中指部分と人差し指部分の股部分が形成され、前記始端部の薬指部分のマチ部分に該薬指部分と小指部分との股部分が一体に形成されていると、中指部分と人差し指部分の股部分と薬指部分と小指部分の股部分に、縫合部分が位置せず、股部分が内側に凸状になって嵩張らないため、「はき心地」の良い手袋を実現できる。しかも中指部分と薬指部分の長さが、前記重ね代の寸法を調整することによって、自由に調整できるため、好ましい構成となる。
【００１２】
また、前記手袋において、前記第１のパーツの前記人差し指部分の小指側の側端の長さが該人差し指部分の掌側の部分の側端の長さに比べて長くなっており、且つ、前記小指部分の人差し指側の側端の長さが該小指部分の掌側の部分の側端の長さに比べて長くなっていると、縫製された後の手袋において、前記人差し指部分とそれに隣接する中指部分との間の股部分において、且つ、前記小指部分とそれに隣接する薬指部分との間の股部分において、これらの股部分の掌側の付け根に比べて手の甲側の付け根がより手首側に偏位した形態の手袋を実現でき、そのため、指と指の股の部分に手袋の対応する部位がぴったりとフィットして、「はき心地」の良い、且つパーツの数が少なく縫製が簡単な手袋となる。
【００１３】
また、前記手袋において、前記第１のパーツの前記第１の切込み線を形成した部位に、該第１の切込み線の中央部位で指先側に突出する山形状になるように該山形状の形態を一部に有する補強用のパーツを、縫着すると、第１のパーツと前記第２のパーツとの縫合が補強用パーツを介してより無理のない状態でおこない易い構成となり、中指部分と薬指部分とが指先側で股側に比べて拡がった「よりフィット感が増加」した、且つ、二輪車のハンドルグリップを握るとき等に最も強く当接する部分に補強用のパーツが縫着された、より握り易い手袋を実現できる。
【発明の効果】
【００１４】
前述のように構成された手袋によると、ガンカット型の手袋において、指と指の間の股部分に手袋の対応する部位がぴったりとフィットして「はき心地」の良い、しかも、パーツの数が少なく縫製が単純で製造原価を低くすることが可能な、作業用や自動二輪車の運転用等に好適な、画期的な手袋を提供することができる。
【図面の簡単な説明】
【００１５】
【図１】本発明の実施例にかかる手袋の掌側のパーツである、手の小指部分と人差し指部分とそれらのマチ部分と、掌部分とが、１体状になった第１のパーツの構成を示す図である。
【図２】図１と同じ実施例にかかる手袋の、中指部分と薬指部分の各掌側の部分とそれらのマチ部分が１体状になった第２のパーツを示す図である。
【図３】図２に示す第２のパーツの、第２の切込み線の始端部分を拡大して示した部分拡大図である。
【図４】図１と同じ実施例にかかる手袋の、掌側の親指部分のパーツを示す図である。
【図５】図１と同じ実施例にかかる手袋の、手の甲側のパーツの形態と、該手袋の手の甲側から見た構成を示す、手袋の手の甲側から見た図である。
【図６】図５に示す本実施例にかかる手袋を親指部分側から見た斜視図である。
【図７】図２に示すパーツと別の実施形態にかかる手袋の中指部分の掌部分とマチ部分とが一体になったパーツと、薬指部分の掌部分とマチ部分とが一体になったパーツとを示す図で、（ａ）は中指部分のパーツを示す図で、（ｂ）薬指部分のパーツを示す図である。
【発明を実施するための形態】
【００１６】
以下、本発明の実施例にかかる手袋を図面に基づいて具体的に説明する。
（実施例）
図５，図６において、Ａは手袋で、該手袋Ａは所謂「ガンカット型」の手袋である。かかる「ガンカット型」の手袋Ａは、この実施例では、図１に図示するように、パーツとして、指の掌側の部分１Ａａとその指側部（指のマチ部分）１Ａｂとを備えた小指部分１Ａと、指の掌側の部分１Ｂａとその指側部（指のマチ部分）１Ｂｂとを備えた人差し指部分１Ｂと、さらにそれらの手首側に隣接する掌部分１Ｃとが、１体状になった第１のパーツ１を有する。
そして、かかる手袋Ａは、前記第１のパーツ１とは別体のパーツとして、図２に示す第２のパーツ２を有する。かかる第２のパーツ２は、薬指部分２Ｂの掌側の部分２Ｂａとその指側部（指のマチ部分）２Ｂｂと、中指部分２Ａの掌側の部分２Ａａと指側部（指のマチ部分）２Ａｂとを有する。
また、別体のパーツとして、図４に図示するように、展開形状が底部がＵの字状になったベル形の形状を有する、親指部分のパーツ４を、さらに有する。
また、手袋Ａの手の甲側の部分のパーツとして、図５に図示するように、親指部分を除く手の形をした形態のパーツ５を有する。
【００１７】
この実施例にかかる手袋Ａの場合、前記第２のパーツ２は、薬指部分２Ｂの掌側の部分２Ｂａとその指側部（指のマチ部分）２Ｂｂと、中指部分２Ａの掌側の部分２Ａａと指側部（指のマチ部分）の部分２Ａｂとが、一体のパーツとして構成されている。しかし、縫製箇所が多少増加し縫合長さが多少長くなることを許容するのであれば、図６に図示するように、薬指部分２Ｂと中指部分２Ａとが物理的に別々のパーツとして構成することもできる。
【００１８】
本実施例にかかる手袋Ａでは、図１に図示するように、前記第１のパーツ１において、前記小指部分１Ａと人差し指部分１Ｂの互いに隣接する各側端の下端位置（手首側の端）１ａ，１ｂをとおり該小指部分１Ａと人差し指部分１Ｂの一部（この実施例では、前記マチ部分１Ａｂ，１Ｂｂに略相当する部分）を略横切る方向に形成された第１の切込み線Ｌ１が、手袋Ａの手首のラインＬ６に略平行な方向の線で構成されている。なお、前記第１の切込み線Ｌ１は、図１に二点鎖線で図示するように、ライン中央部Ｌ２ｃが手首側に偏位したような逆への字（略「Ｖ」の字、正確には挟み角度の大きな略「Ｖ」の字）の形態の線で構成されていてもよい。または、略平行に近いへの字状の形態であってもよい。
【００１９】
また、図１に図示する如く、前記第１のパーツ１の人差し指部分１Ｂの、小指部分１Ａ側の側端の下端位置（手首側の端位置）１ｂは、該人差し指部分１Ｂの上端位置（指先側の端位置）１ｔを基準にして、手袋をはめる人の人差し指の手の甲側の先端から手の甲側の股の付け根までの指表面に沿った長さに略相当するような寸法Ｌ１０（図１の実線１０の長さ参照）に一致あるいは略一致するように構成される。また、前記第１の切込み線Ｌ１の人差し指部分１Ｂの端の位置１ｆは、前記上端位置１ｔを基準にして、手袋をはめる人の人差し指の掌側の股の付け根までの指表面に沿った長さに略相当するような寸法Ｌ１１（図１の破線１１の長さ参照）に構成される。前記寸法Ｌ１０は前記寸法Ｌ１１より大きく、つまり、人差し指部分１Ｂの手の甲側の付け根の位置が、同じく掌側の付け根よりも手首側に位置することになるよう構成されている。
また、前記第１のパーツ１の小指部分１Ａの、人差し指部分１Ｂ側の側端の下端位置（手首側の端位置）１ａは、該小指部分１Ａの上端位置（指先側の端位置）１ｕを基準にして、手袋をはめる人の小指の手の甲側の先端から手の甲側の股の付け根までの指表面に沿った長さに相当するような寸法Ｌ１２（図１の実線１２の長さ参照）に構成されている。また、前記第１の切込み線Ｌ１の小指の端の位置１ｇは、前記上端位置１ｕを基準にして、手袋をはめる人の小指の掌側の先端から掌側の股の付け根までの指表面に沿った長さに略相当するような寸法Ｌ１３（図１の破線１３の長さ参照）に構成される。前記寸法Ｌ１２は前記寸法Ｌ１３より大きく、つまり、小指部分１Ａの手の甲側の付け根の位置が、同じく掌側の付け根よりも手首側に位置することになるよう構成されている。
【００２０】
また、図２に図示する如く、前記第２のパーツ２は、全体の平面形状が概ね飛行機の尾翼の平面視の如き形態を有する。そして、かかる第２のパーツ２の一端（図２の左端）には、手袋Ａの掌側の中指部分２Ａの指先２Ａｔが位置するとともに、他端（図２の右端）には、薬指部分２Ｂの指先２Ｂｔが位置し、前記中指部分２Ａの付け根２Ａｒと薬指部分２Ｂの付け根２Ｂｒがこの第２のパーツ２の長手方向における略中央部位で連接され、かかる連接部位が中指部分２Ａと薬指部分２Ｂの指の股部分２ｃとなる。
【００２１】
また、前記中指部分２Ａと薬指部分２Ｂの掌側の各付け根２Ａｒ，２Ｂｒと、中指部分２Ａの人差し指部分側のマチ部分２Ａｂ１と薬指部分２Ｂの小指部分側のマチ部分２Ｂｂ１の手首側の端とが、該第２のパーツ２の長手方向における略中央部位の反連接側の始端２ｔから前記連接されている部位へ向けて切り込まれた、第２の切込み線Ｌ２の両側に対峙して形成されている。
また、かかる第２のパーツ２の中指部分２Ａの薬指側のマチ部分２Ａｂ２と薬指部分２Ｂの中指側のマチ部分２Ｂｂ２の各側縁となるこの第２のパーツ２の中指部分２Ａと薬指部分２Ｂのマチ部分２Ａｂ２，２Ｂｂ２となる各側端が、図２に図示する如き展開図において、長手方向両端の指先２Ａｔ，２Ｂｔの部分から中央の指の付け根側にゆくに従って該第２のパーツの幅方向の寸法（長手方向に直交する方向の寸法：図２において上下方向の寸法）が大きくなるような、両傾斜のテーパ状の線Ｌ２０，Ｌ２１で構成されている。
【００２２】
そして、前記第２のパーツ２の中指部分２Ａの先端（指先）２Ａｔから薬指部分２Ｂの先端（指先）２Ｂｔまでの長手方向の寸法は、手袋をはめる人の「平面視における人差し指と中指の間の股部分の掌側の端から同股部分の手の甲側の端までの長さ分と、平面視における小指と薬指の間の股部分の掌側の端から同股部分の手の甲側の端までの長さ分を加えた長さ分」だけ、従来の同じ形態（種類）の手袋の対応するパーツの長さに比べて、長く構成している。
【００２３】
また、この手袋Ａでは、図３に図示するように、前記第２のパーツ２の前記第２の切込み線Ｌ２の始端部の中指部分２Ａの人差し指側のマチ部分２Ａｂ１に、中指部分２Ａと人差し指部分１Ｂの間の股部分２ｄ１が一体に形成され、前記始端部の薬指部分２Ｂの小指側のマチ部分２Ｂｂ１に、該薬指部分２Ｂと小指部分１Ａとの股部分２ｄ２が一体に形成されている。また、図３において、破線２ｓは、前記股部分２ｄ１の中央の線（折り返しの線）を、破線２ｕは、前記股部分２ｄ２の中央の線（折り返しの線）を示す。また、図３で、２ｋは人差し指部分１Ｂの付け根の一部を構成し、２ｊは小指部分１Ａの付け根の一部を構成する部位となる。また、図３で、Ｌ２ａで示す長さは、「平面視における人差し指と中指の間の股部分の掌側の端から同股部分の手の甲側の端までの長さ分」に相当し、Ｌ２ｂで示す長さは、「平面視における小指と薬指の間の股部分の掌側の端から同股部分の手の甲側の端までの長さ分」に相当する。
【００２４】
一方、第２のパーツ２の前記構成に対応して、前記第１のパーツ１では、従来の同じ形態（種類）の手袋の該第１のパーツに相当するパーツに比べて、前記第１の切込み線Ｌ１の前記小指部分１Ａの下端位置１ａを、手袋をはめる人の「平面視における小指と薬指の間の股部分の掌側の端から同股部分の手の甲側の端までの長さ分」だけ手首側に下げ、前記人差し指部分１Ｂの下端位置１ｂを、手袋をはめる人の「平面視における人差し指と中指の間の股部分の掌側の端から同股部分の手の甲側の端までの長さ分」だけ手首側に下げた位置に構成されている（図１参照）。
【００２５】
また、前記手袋Ａの手の甲側の部分のパーツ５は、手袋をはめる人の「手の甲側の平面視における寸法に略等しく（正確にはやや大きく）構成されている。また、かかるパーツ５の各指部分の長さは、前記第１のパーツ１及び第２のパーツ２の各指部分の長さに比べてやや長く構成されている。換言すれば、前記第１のパーツ１及び第２のパーツ２の各指部分の長さは、パーツ５の各指部分の長さに比べてやや短く構成されている。具体的寸法としては、略２ｍｍ〜６ｍｍ程度長さが異なるように構成されている（図５参照）。
【００２６】
このように、手袋Ａの前記股部分２ｄ１，２ｄ２が、前記マチ部分に一体に形成されて嵩張ることがないため、手袋をはめる人の指と指の間の股部分に位置しても嵩張ることがなく、この結果、はき心地の良い手袋となる。
【００２７】
前述のように構成された前記第２のパーツ２を前記第２の切込み線Ｌ２に沿って折り曲げて、前記連接部分２ｃが手の甲側に位置するような状態で、該第２のパーツ２の中指部分２Ａを前記パーツ５の中指部分に重ね合わせてその指先部分を縫着する。同様に、前記第２のパーツ２の薬指部分２Ｂを前記パーツ５の薬指部分に重ね合わせてその指先部分を縫着する。
【００２８】
また、前記パーツ５の人差し指部分と第１のパーツ１の人差し指部分１Ｂを重ね合わせて、その指先部分を先ず縫着するとともに、次に指の付け根部分から指先側に向けて縫着する。この際、パーツ５の指部分の長さが第１のパーツ１に比べてやや長さ的に長いため、指部分の縫着に際しては、第１のパーツ１側をやや引張り勝手にして且つパーツ５側を収縮勝手にして縫着する。
同様に、前記パーツ５の小指部分と第１のパーツ１の小指部分１Ａを重ね合わせて、前記人差し指部分と同じ手順及び要領でその合致する部分を縫着する。
【００２９】
次に、第２のパーツ２の中指部分２Ａあるいは薬指部分２Ｂの、例えば、第２のパーツ２の中指部分２Ａの第２の切込み線Ｌ２の始端２ｔと、前記第１のパーツ１の人差し指部分１Ｂの指の付け根となる前記下端位置１ａが一致するようにこれらを重ね合わせて、前記始端２ｔから該第２の切込み線Ｌ２の奥方へ向けて縫着し、続けて、この第１のパーツ１の前記第１の切込み線Ｌ１の小指の端の位置１ｇから該第１の切込み線Ｌ１の中央に向けて縫着する。かかる小指の端の位置１ｇから中央に向けて縫着する際に、第２のパーツ２が前記パーツ５に対して引張った状態で縫着する。前記縫着は、重ね合わせによる縫着となる。
同様に、前記薬指部分２Ｂの第２の切込み線Ｌ２の始端２ｔと、前記第１のパーツ１の小指部分１Ａの指の付け根となる前記下端位置１ｂが一致するようにこれらを重ね合わせて、
以下、同様の手順と要領によって縫着をおこなう。
【００３０】
また、前記第２のパーツ２の中指部分２Ａと薬指部分２Ｂの各マチ部分２Ａｂ，２Ｂｂの側端と、前記パーツ５の対応する指の側端との縫製は、該パーツ５の指部分の長さが第２のパーツ２の各指部分の長さに比べてやや長さ的に長いため、第１のパーツ１側をやや引張り勝手にして且つパーツ５側を収縮勝手にして縫着する。
【００３１】
前述のように構成され且つ縫製された本実施例にかかる手袋Ａは、図５に図示するように、縫製された後において前記人差し指部分１Ｂとそれに隣接する中指部分２Ａとの間の股部分Ｂ２において、且つ、前記小指部分１Ａとそれに隣接する薬指部分２との間の股部分Ｂ１において、該股部分Ｂ１の掌側の付け根ｂ１に比べて手の甲側の付け根ｂ２がより手首側に偏位した形態の手袋を実現でき、且つ、前記中指部分２Ａと薬指部分２Ｂとの間の股部分Ｂ３において、該股部分Ｂ３の掌側の付け根ｂ３に比べて手の甲側の付け根ｂ４がより手首側に偏位した形態の手袋を実現することができる。
この結果、指と指の股の部分に手袋の対応する股部分が三次元形態的にぴったりとフィットして、「はき心地」の良い、且つパーツの数が少なく縫製が複雑にならない手袋となる。
【００３２】
ところで、図４に図示する、前記親指部分のパーツ４は、親指部分の人差し指部分側になる部位４ａ同士が縫合されて袋状となり、かかる袋状となった付け根部分４ｂが、図１に示す前記第１のパーツ１の楕円形に形成された穴部１ｈに縫合されて、図５，図６に図示する如く、手袋Ａの親指部分４が形成される。
【００３３】
手の甲側のパーツ５は、図５に図示するように、概略手袋Ａの内に挿入される手の形をした形態に構成されている。そして、かかる手の甲側のパーツ５は、前記親指部分のパーツ４が縫合された前記掌側の第１のパーツ１，前記第２のパーツ２と縫合されて、図５あるいは図６に図示するような、手袋Ａの形態に構成される。
【００３４】
また、この実施例にかかる手袋Ａの場合、図２に示す、掌側の前記中指部分２Ａと前記薬指部分２Ｂを有する第２のパーツ２は、図１に示す、前記第１のパーツ１に対して、前記第２の切込み線Ｌ２の両側部分、つまり、中指部分２Ａの付け根部分２Ａｒが第１のパーツ１の前記第１の切込み線Ｌ１の人差し指部分１Ｂに隣接する箇所と重ね合わされた状態で当該重なった部分を縫製する所謂「重ね合わせによる縫合」がおこなわれ、また、薬指部分２Ｂの付け根部分２Ｂｒが第１のパーツ１の前記第１の切込み線Ｌ１の小指部分１Ａに隣接する箇所と重ね合わされた状態で当該重なった部分を縫製する所謂「重ね合わせによる縫合」がおこなわれ、且つ、前記パーツ５の指部分の長さに比べて前記第１のパーツ１と第２のパーツ２の各指部分の長さが短く構成され、前述のように該１のパーツ１の人差し指部分と小指部分及び第２のパーツ２の中指部分と薬指部分の各付け根部分を手首側にやや引張り勝手にして縫製をおこなっているため、図６に図示するように、手袋Ａの指部分が掌側に大きく湾曲した形態、つまり手を自然体にした形態に略合致した形態（略熊手のような形態）の手袋Ａとなる。また、前述のように重ね合わせによる縫製をおこなっているため、縫合部分が嵩張らないため、縫合部分での違和感が少ない、フィット感に優れた、はき心地のよい手袋を実現できる。
また、前記親指部分のパーツ４の付け根部分４ｂを前記穴部１ｈに縫合する場合にも、前述の「重ね合わせによる縫合」がおこなわれている。
このように「重ね合わせによる縫合」をおこなうと、親指部分の長さを調節することが可能ともなる。
【００３５】
前述のように、本実施例にかかる手袋Ａでは、前記したように、手袋Ａの指部分と指部分の間の股部分の形態が、手の指と指の間の股部分の三次元形状に合致した形態に構成されることから、手袋Ａをはめたときに、極めてフィット感のある手袋が実現できる。
加えて、かかる手袋Ａの製造に際しては、従来の手袋の製造に比べて縫合箇所を少なく且つ縫合長さを短くすることができるため、加工時間（縫製時間）を短くすることができ、且つ作業的にも簡単におこなうことができる。また、従来の手袋の如く小さいパーツの縫着がないため、縫着作業が容易となる。
【００３６】
ところで、別の実施形態として、図７に示す如く、中指部分２Ａの掌側の部分２Ａａとそのマチ部分２Ａｂと、薬指部分２Ｂの掌側の部分２Ｂａとそのマチ部分２Ｂｂとを、物理的に別々のパーツ３０，３２として構成した場合にも、フィット感に優れた構成の手袋を次のように構成すれば実現することができる。
つまり、図７（ｂ）に示す如く、中指部分２Ａの掌側の部分のパーツ３０の下端（指の付け根端）３０Ｂを両側にゆくにしたがって寸法的に指の先端３０ｔからの距離が長くなる方向に、斜めに形成する。
また、図７（ａ）に示す如く、薬指部分２Ｂの掌側の部分のパーツ３２の下端（指の付け根端）３２Ｂにおいて、側端にゆくにしたがって寸法的に指の先端３２ｔからの距離が長くなる方向に、斜めに形成する。また、前記掌側の薬指部分２Ｂのパーツ３２のうち中指部分２Ａ側のマチ部分２Ｂｂ２は、図７（ａ）に図示する如く、このパーツ３２の下端（指の付け根端）において、側端にゆくにしたがって寸法的に指の先端３２ｔからの距離が短くなる方向に、斜めに形成する。
なお、前記中指部分２Ａのパーツ３０の薬指部分側のマチ部分２Ａｂ２が、側端にゆくにしたがって寸法的に指の先端３０ｔからの距離がより長くなる方向に、斜めに形成されており、かかる「より長くなっている部分」が隣接する薬指部分２Ｂのパーツ３２のマチ部分２Ｂｂ２の一部を形成するべく折り曲げられると、前記薬指部分２Ｂの手の甲側の付け根の位置が、同じく掌側の付け根の位置よりも手首側に位置することの他に、指と指の股の部分にパーツ間の縫合部位が位置せず、股から少しずれた位置に縫合部位が位置する構成を実現できる。
このような構成は、中指部分の人差し指部分側のマチ部分においても同じように採用されている。
ただし、図７に図示する如く、中指部分２Ａのパーツ３０と、薬指部分２Ｂのパーツ３２とを、物理的に別々のパーツとして構成した場合には、縫合箇所と縫合長さが増加することから、図２に図示する如く１体のパーツ（第２のパーツ２）で構成した場合と比べて生産コストを多少増加させることになる。
【００３７】
ところで、さらにフィット感に優れた手袋としては、図１の一点鎖線で示すように、前記第１の切込み線Ｌ１の上方（指先側）に三角形状別のパーツ７を縫合し、かかる縫合した部分を介して、前記第２のパーツ２を縫着すると、手袋Ａの中指部分２Ａと薬指部分２Ｂが指先側で付け根側に比べて拡がった形態になり、より人間の指の形態に合致した構成となり、この点でもフィット感が向上する。なお、前記第１の切込み線Ｌ１が、図１の二点鎖線で示す逆への字状（「Ｖ」の字）にした場合には、前記別のパーツ７に相当するパーツは菱形形状となる。
【００３８】
また、フィット感に優れた手袋としては、前記手袋の掌の部分が、手の甲の部分に比べて若干長さ的に小さく構成することによって、図６に図示すると同じような、手袋の指が大きく掌側に湾曲したような形態の手袋を実現することができる。具体的には、例えば、手袋の掌側のパーツをＭサイズの寸法に合わせて裁断したものを用いるとともに、手の甲側のパーツをＬサイズの寸法に合わせて裁断したものを、手袋の形態に縫合することによって、簡単に実現することができる。
このため、かかる手袋をはめた人は、手袋によって手の甲側に引張られるような感覚を受けることはない。従って、図１〜図５に図示する手袋の構成に加えて、かかる構成を付加してもよい。
【００３９】
また、本発明は、前記実施例に限定されるものでなく、本発明の技術的思想に基づく範囲において種々の形態で実施することが可能となることは言うまでもない。
【産業上の利用可能性】
【００４０】
本発明にかかる手袋は、作業用や二輪車の運転用等の手袋として利用できる。
【符号の説明】
【００４１】
Ａ…手袋
１…第１のパーツ
１Ａ…小指部分
１Ｂ…人差し指部分
２…第２のパーツ
２Ａ…第２のパーツの中指部分
２Ａｂ２…中指部分の薬指側のマチ部分
２Ｂ…第２のパーツの薬指部分
２Ｂｂ２…薬指部分の中指側のマチ部分
Ｌ２０，Ｌ２１…両傾斜のテーパ状の線
【図１】
0005975655.tif 000002
【図２】
0005975655.tif 000003
【図３】
0005975655.tif 000004
【図４】
0005975655.tif 000005
【図５】
0005975655.tif 000006
【図６】
0005975655.tif 000007
【図７】
0005975655.tif 000008